(57)【要約】【課題】温度センサを利用して個人認証を行い、ロック機能の起動／解除を自動で行う。【解決手段】ロック機能起動部１８１は、アンロック状態において、温度センサ１７を利用して携帯端末１０から使用者の手が離れたことを検出した場合、手が離れた時点の手の温度と環境温度とを温度センサ１７を利用して導出してメモリ１６に格納するとともに、一定条件下でロック機能を起動する。ロック機能解除部１８２は、自動ロック状態において、温度センサ１７を利用して携帯端末１０に使用者の手が再度触れたことを検出した場合、手が再度触れた時点の手の温度と環境温度とを温度センサ１７を利用して導出し、導出された環境温度とメモリ１６に格納された環境温度との変化率に応じて使用者の現在の手の温度の温度範囲を推測し、手が再度触れた時点で導出された手の温度が温度範囲内にあれば、ロック機能を解除する。【選択図】図１
2007243311.tif 000002
【特許請求の範囲】
【請求項１】
所定の機能を制限するロック機能を備えた携帯端末であって、
前記携帯端末の筐体に配設された温度センサと、
メモリと、
前記ロック機能が解除された状態において、前記温度センサを利用して前記携帯端末から使用者の手が離れたことを検出した場合、使用者の手が離れた時点の手の温度と環境温度とを前記温度センサを利用して導出して前記メモリに格納するとともに、一定条件下で前記ロック機能を起動するロック機能起動手段と、
前記ロック機能が起動された状態において、前記温度センサを利用して前記携帯端末に使用者の手が再度触れたことを検出した場合、使用者の手が再度触れた時点の手の温度と環境温度とを前記温度センサを利用して導出し、導出された環境温度と前記メモリに格納された環境温度との変化率に応じて使用者の現在の手の温度の温度範囲を推測し、使用者の手が再度触れた時点の前記導出された手の温度が前記温度範囲内にあれば、前記ロック機能を解除するロック機能解除手段とを有する携帯端末。
【請求項２】
前記ロック機能起動手段は、前記ロック機能が解除された状態において、前記携帯端末から使用者の手が離れてから一定時間経過後に前記ロック機能を起動する、請求項１に記載の携帯端末。
【請求項３】
前記ロック機能起動手段は、前記ロック機能が解除された状態において、前記携帯端末から使用者の手が離れてから一定時間経過前に、前記温度センサを利用して前記携帯端末に使用者の手が再度触れたことを検出した場合、使用者の手が再度触れた時点の手の温度を前記温度センサを利用して導出して前記メモリに格納された手の温度と比較し、両者が一致した場合に前記ロック機能を起動する、請求項１または２に記載の携帯端末。
【請求項４】
所定の機能を制限するロック機能を備えた携帯端末におけるロック機能の制御方法であって、
前記ロック機能が解除された状態において、前記携帯端末の筐体に配設された温度センサを利用して前記携帯端末から使用者の手が離れたことを検出した場合、使用者の手が離れた時点の手の温度と環境温度とを前記温度センサを利用して導出してメモリに格納するとともに、一定条件下で前記ロック機能を起動するロック機能起動ステップと、
前記ロック機能が起動された状態において、前記温度センサを利用して前記携帯端末に使用者の手が再度触れたことを検出した場合、使用者の手が再度触れた時点の手の温度と環境温度とを前記温度センサを利用して導出し、導出された環境温度と前記メモリに格納された環境温度との変化率に応じて使用者の現在の手の温度の温度範囲を推測し、使用者の手が再度触れた時点の前記導出された手の温度が前記温度範囲内にあれば、前記ロック機能を解除するロック機能解除ステップとを有する制御方法。
【請求項５】
前記ロック機能起動ステップでは、前記ロック機能が解除された状態において、前記携帯端末から使用者の手が離れてから一定時間経過後に前記ロック機能を起動する、請求項４に記載の制御方法。
【請求項６】
前記ロック機能起動ステップでは、前記ロック機能が解除された状態において、前記携帯端末から使用者の手が離れてから一定時間経過前に、前記温度センサを利用して前記携帯端末に使用者の手が再度触れたことを検出した場合、使用者の手が再度触れた時点の手の温度を前記温度センサを利用して導出して前記メモリに格納された手の温度と比較し、両者が一致した場合に前記ロック機能を起動する、請求項４または５に記載の制御方法。
【請求項７】
所定の機能を制限するロック機能を備えた携帯端末に、
前記ロック機能が解除された状態において、前記携帯端末の筐体に配設された温度センサを利用して前記携帯端末から使用者の手が離れたことを検出した場合、使用者の手が離れた時点の手の温度と環境温度とを前記温度センサを利用して導出してメモリに格納するとともに、一定条件下で前記ロック機能を起動するロック機能起動ステップと、
前記ロック機能が起動された状態において、前記温度センサを利用して前記携帯端末に使用者の手が再度触れたことを検出した場合、使用者の手が再度触れた時点の手の温度と環境温度とを前記温度センサを利用して導出し、導出された環境温度と前記メモリに格納された環境温度との変化率に応じて使用者の現在の手の温度の温度範囲を推測し、使用者の手が再度触れた時点の前記導出された手の温度が前記温度範囲内にあれば、前記ロック機能を解除するロック機能解除ステップとを実行させるプログラム。
【請求項８】
前記ロック機能起動ステップでは、前記ロック機能が解除された状態において、前記携帯端末から使用者の手が離れてから一定時間経過後に前記ロック機能を起動する、請求項７に記載のプログラム。
【請求項９】
前記ロック機能起動ステップでは、前記ロック機能が解除された状態において、前記携帯端末から使用者の手が離れてから一定時間経過前に、前記温度センサを利用して前記携帯端末に使用者の手が再度触れたことを検出した場合、使用者の手が再度触れた時点の手の温度を前記温度センサを利用して導出して前記メモリに格納された手の温度と比較し、両者が一致した場合に前記ロック機能を起動する、請求項７または８に記載のプログラム。
【発明の詳細な説明】
【技術分野】
【０００１】
本発明は、所定の機能を制限するロック機能を備えた携帯端末、携帯端末におけるロック機能の制御方法、プログラムに関する。
【背景技術】
【０００２】
昨今、個人情報保護法が施行されるなど、個人情報に対するセキュリティ性が重要視されるようになってきている。携帯電話などの携帯端末にも、電話帳やメールのアドレス帳など多くの個人情報が格納されている。
【０００３】
そのため、従来の携帯端末の中には、個人情報のセキュリティ性を確保するために、通話以外のすべての機能を制限するなどのロック機能を備えたものが増えている。
【０００４】
しかし、従来の携帯端末では、ロック機能の起動／解除は自動で行われるものではなく、使用者による何らかのキー操作をトリガーとして行われるものであるため、ロック機能の起動／解除を行う際に使用者に負担が掛かり、使い勝手が悪かった。
【０００５】
また、従来の携帯端末の中には、温度センサを配設したものが増えている（例えば、特許文献１参照）。そのため、温度センサを利用して個人認証を行い、ロック機能の起動／解除を自動で行うことができれば便宜である。
【特許文献１】特開２００２−２９０５０８号公報
【発明の開示】
【発明が解決しようとする課題】
【０００６】
しかしながら、特許文献１に開示された携帯端末は、温度センサを利用して着呼通知の方法を変更するものであり、温度センサを利用して個人認証を行ったり、ロック機能の起動／解除を行ったりするものではない。
【０００７】
そこで、本発明の目的は、温度センサを利用して個人認証を行い、ロック機能の起動／解除を自動で行うことができる携帯端末、携帯端末におけるロック機能の制御方法、プログラムを提供することにある。
【課題を解決するための手段】
【０００８】
上記目的を達成するために本発明は、
所定の機能を制限するロック機能を備えた携帯端末であって、
前記携帯端末の筐体に配設された温度センサと、
メモリと、
前記ロック機能が解除された状態において、前記温度センサを利用して前記携帯端末から使用者の手が離れたことを検出した場合、使用者の手が離れた時点の手の温度と環境温度とを前記温度センサを利用して導出して前記メモリに格納するとともに、一定条件下で前記ロック機能を起動するロック機能起動手段と、
前記ロック機能が起動された状態において、前記温度センサを利用して前記携帯端末に使用者の手が再度触れたことを検出した場合、使用者の手が再度触れた時点の手の温度と環境温度とを前記温度センサを利用して導出し、導出された環境温度と前記メモリに格納された環境温度との変化率に応じて使用者の現在の手の温度の温度範囲を推測し、使用者の手が再度触れた時点の前記導出された手の温度が前記温度範囲内にあれば、前記ロック機能を解除するロック機能解除手段とを有することを特徴とする。
【０００９】
この構成によれば、使用者の手が携帯端末から離れることでロック機能が起動された状態において、使用者の手が携帯端末に再度触れた場合は、その使用者の手の温度が、使用者の手が離れた時と使用者の手が再度触れられた時の環境温度の変化に基づき推測された温度範囲内にあるか否かに応じて個人認証を行い、同一人と認識された場合に限りロック機能が解除される。そのため、携帯端末の個人情報の十分なセキュリティ性を確保することができる。また、ロック機能の起動／解除は、使用者がキー操作をすることなく自動で行われるため、ロック機能の起動／解除を行う際の使用者の負担が軽減される
また、前記ロック機能起動手段は、前記ロック機能が解除された状態において、前記携帯端末から使用者の手が離れてから一定時間経過後に前記ロック機能を起動することとしても良い。
【００１０】
また、前記ロック機能起動手段は、前記ロック機能が解除された状態において、前記携帯端末から使用者の手が離れてから一定時間経過前に、前記温度センサを利用して前記携帯端末に使用者の手が再度触れたことを検出した場合、使用者の手が再度触れた時点の手の温度を前記温度センサを利用して導出して前記メモリに格納された手の温度と比較し、両者が一致した場合に前記ロック機能を起動することとしても良い。
【発明の効果】
【００１１】
以上説明したように本発明によれば、使用者の手が携帯端末から離れることでロック機能が起動された状態において、使用者の手が携帯端末に再度触れた場合は、その使用者の手の温度が、使用者の手が離れた時と使用者の手が再度触れられた時の環境温度の変化に基づき推測された温度範囲内にあるか否かに応じて個人認証を行い、同一人と認識された場合に限りロック機能が解除される。
【００１２】
したがって、温度センサを利用して個人認証を行い、ロック機能の起動／解除を自動で行うことができるため、ロック機能の起動／解除を行う際の使用者の負担が軽減され、使用者の使い勝手の向上が図れるという効果が得られる。
【発明を実施するための最良の形態】
【００１３】
以下に、本発明を実施するための最良の形態について図面を参照して説明する。
【００１４】
図１を参照すると、本実施形態の携帯端末１０は、操作部１１と、表示部１２と、報知部１３と、カメラ１４と、送受信部１５と、メモリ１６と、温度センサ１７と、制御部１８とを有している。
【００１５】
操作部１１は、携帯端末１０に対する操作を受け付ける部分であり、表示部１２は、各種の情報を表示する部分であり、報知部１３は、着信通知等を音やバイブで報知する部分であり、カメラ１４は、各種の被写体を撮影する部分であり、送受信部１５は、無線信号を送受信する部分であり、メモリ１６は、携帯端末１０の動作に必要なプログラムや設定値を保持する部分である。
【００１６】
温度センサ１７は、携帯端末１０に使用者の手が触れている場合は、手の温度を検知し、携帯端末１０に使用者の手が触れていない場合は、携帯端末１０の周囲の環境温度を検知するもので、携帯端末１０の筐体に配置されている。使用者が携帯端末１０のどの部分に触れても手の温度を検知できるようにするため、温度センサ１７は、携帯端末１０の筐体の表面、裏面、側面などに２つ以上配置するのが好ましい。
【００１７】
制御部１８は、上記の各部の動作を制御する部分であり、ロック機能制御部１８０を有する。なお、制御部１８には、表示部１２を制御する手段、カメラ１４を制御する手段など、ロック機能制御部１８０以外にも様々な手段が設けられているが、これらは本発明の本質部分ではないため、図１からは省略されている。
【００１８】
ロック機能制御部１８０は、ロック機能起動部１８１と、ロック機能解除部１８２とを有している。
【００１９】
ロック機能起動部１８１は、ロック機能が解除された状態（アンロック状態）で、携帯端末１０から使用者の手が離れた場合、一定条件下でロック機能を起動する部分であり、ロック機能解除部１８２は、ロック機能が起動された状態（ロック状態）で、携帯端末１０に使用者の手が再度触れた場合、一定条件下でロック機能を解除する部分である。
【００２０】
ロック機能起動部１８１およびロック機能解除部１８２は、携帯端末１０に手が触れられているか否かを次のように検出する。例えば、図２に示すように、携帯端末１０に手が触れたことを示す閾値温度の上限値と下限値をメモリ１６に予め格納しておく。そして、温度センサ１７による検知温度が閾値温度の範囲内に収まっていれば、携帯端末１０に手が触れられたことを検出する。なお、図２についての詳細な説明は後述する。
【００２１】
以下、図１に示した携帯端末１０の動作について説明する。なお、携帯端末１０では、携帯端末１０から手が離れた場合に一定条件下で自動的にロック機能を起動することが可能である他、キーイベントをトリガーとする通常のロック機能を起動することも可能である。前者を後者と区別するため、以下では、前者のロック機能を自動ロック機能と称する。
【００２２】
まず、使用者が自動ロック機能を設定する処理について、図３のフローチャートを参照して説明する。
【００２３】
図３を参照すると、使用者は、自動ロック機能をＯＮにする場合（ステップ３０１）、操作部１１を操作して、携帯端末１０から手が離れてから自動ロック機能が起動するまでの起動時間を設定するとともに（ステップ３０２）、自動ロック機能のロックパターンを設定する（ステップ３０３）。ロックパターンとしては、例えば、通話以外のすべての機能を制限するパターン、ＰＩＭ（Personal Information Manager）系の機能のみを制限するパターンが考えられる。ステップ３０２，３０３で設定された内容は、制御部１８によりメモリ１６に格納される。自動ロック機能をＯＦＦにする場合も、上述した通常のロック機能を起動することは可能である。
【００２４】
次に、自動ロック機能がＯＮに設定されている場合に、自動ロック機能を解除状態から起動状態にする処理について、図４のフローチャートを参照して説明する。
【００２５】
図４を参照すると、ロック機能起動部１８１は、アンロック状態（自動ロック機能が解除された状態）において（ステップ４０１）、温度センサ１７を利用して携帯端末１０から手が離れたことを検出した場合（ステップ４０２）、手が離れた時点の手の温度Ａ度と環境温度Ｃ度とを温度センサ１７を利用して導出してメモリ１６に格納する（ステップ４０３）。ロック機能起動部１８１は、例えば、図２の場合には、温度センサ１７による検知温度が閾値温度の範囲内からはずれる前に、一定期間継続していた温度を手の温度Ａ度として導出し、温度センサ１７による検知温度が閾値温度の範囲内からはずれた後に、一定期間継続している温度を環境温度Ｃ度として導出する。
【００２６】
次に、ロック機能起動部１８１は、携帯端末１０から手が離れてから、ステップ３０２で設定した起動時間が経過すると（ステップ４０４）、自動的に自動ロック機能を起動する（ステップ４０５）。なお、ロック機能起動部１８１は、ステップ３０２で設定した起動時間が経過するまでは、温度センサ１７を利用して携帯端末１０に再度手が触れたことを検出しない限り（ステップ４０６）、アンロック状態を継続する。
【００２７】
また、ロック機能起動部１８１は、ステップ３０２で設定した起動時間が経過する前に、温度センサ１７を利用して携帯端末１０に再度手が触れたことを検出した場合（ステップ４０６）、再度手が触れた時点の手の温度Ｂ度を温度センサ１７を利用して導出する（ステップ４０７）。ロック機能起動部１８１は、例えば、図２の場合には、温度センサ１７による検知温度が閾値温度の範囲内に収まった後、一定期間継続していた温度を手の温度Ｂ度として導出する。
【００２８】
そして、ロック機能起動部１８１は、再度手が触れた時点の手の温度Ｂ度と、メモリ１６に格納された手の温度Ａ度とを比較し（ステップ４０８）、両者が一致した場合はアンロック状態を継続するが、両者が一致しなかった場合は、ステップ３０２で設定した起動時間が経過する前であっても、再度手を触れた使用者は他人であると判断し、自動的に自動ロック機能を起動する（ステップ４０５）。
【００２９】
次に、自動ロック機能がＯＮに設定されている場合に、自動ロック機能を起動状態から解除状態にする処理について、図５のフローチャートを参照して説明する。
【００３０】
図５を参照すると、ロック機能解除部１８２は、自動ロック状態（自動ロック機能が起動された状態）において（ステップ５０１）、温度センサ１７を利用して携帯端末１０に再度手が触れたことを検出した場合（ステップ５０２）、再度手が触れた時点の手の温度Ｂ度と環境温度Ｃ’度とを温度センサ１７を利用して導出する（ステップ５０３）。ロック機能起動部１８１は、例えば、図２の場合には、温度センサ１７による検知温度が閾値温度の範囲内に収まる前に、一定期間継続していた温度を環境温度Ｃ’度として導出する。手の温度Ｂ度の導出方法は、上述した通りである。
【００３１】
次に、ロック機能解除部１８２は、再度手が触れた時点の環境温度Ｃ’度と、メモリ１６に格納された環境温度Ｃ度との差分を求めて環境温度に変化があったか否かを判断する（ステップ５０４）。ここでは、差分が±５度以上であれば、環境温度に変化があったと判断するものとする。
【００３２】
ステップ５０３で環境温度に変化があった場合、ロック機能解除部１８２は、メモリ１６に格納された手の温度Ａと環境温度の変化率に応じて使用者の現在の手の温度Ａ’を推測する（ステップ５０５）。ただし、人間は体温調節ができるものの、環境温度に対応してすぐに体温が変化する訳ではないため、温度Ａ度〜Ａ’度までの幅をもたせて使用者の手の温度範囲を推測する。
【００３３】
そして、ロック機能解除部１８２は、再度手が触れた時点で導出した手の温度Ｂ度が、温度Ａ度〜Ａ’度の範囲内にあれば（ステップ５０６）、再度手を触れた使用者は同一人であると判断し、自動ロック機能を自動的に解除する（ステップ５０７）。
【００３４】
一方、ステップ５０４で環境温度に変化がない場合、ロック機能解除部１８２は、再度手が触れた時点で導出した手の温度Ｂ度が、メモリ１６に格納された手の温度Ａと一致すれば（ステップ５０８）、再度手を触れた使用者は同一人であると判断し、自動ロック機能を自動的に解除する（ステップ５０７）。
【００３５】
なお、本発明においては、携帯端末１０の内部に、上記で説明した処理を実行するためのプログラムを記録した記録媒体を設けてもよい。このプログラムは、記録媒体から携帯端末１０に読み込まれ、携帯端末１０の動作を制御する。
【図面の簡単な説明】
【００３６】
【図１】本発明の一実施形態の携帯端末の構成を示すブロック図である。
【図２】図１に示した温度センサにより検知された温度変化の一例を示す図である。
【図３】図１に示した携帯端末において、使用者が自動ロック機能を設定する処理を説明するフローチャートである。
【図４】図１に示した携帯端末において、自動ロック機能を解除状態から起動状態にする処理を説明するフローチャートである。
【図５】図１に示した携帯端末において、自動ロック機能を起動状態から解除状態にする処理を説明するフローチャートである。
【符号の説明】
【００３７】
１０    携帯端末
１１    操作部
１２    表示部
１３    報知部
１４    カメラ
１５    送受信部
１６    メモリ
１７    温度センサ
１８    制御部
１８０    ロック機能制御部
１８１    ロック機能起動部
１８２    ロック機能解除部
【図１】
2007243311.tif 000003
【図２】
2007243311.tif 000004
【図３】
2007243311.tif 000005
【図４】
2007243311.tif 000006
【図５】
2007243311.tif 000007